Podtech/llm-jp-corpus-v4-ja_patent huggingface dataset:
(57)【要約】      （修正有）【課題】容易に使用出来る、単体構造に製作しております。軒先に吊り下げれば、水すだれを提供できる。【解決手段】冷気を得るために、簡素化と少量の水を流す事と共に、葭すだれの保水性・腐食に優れ使用したものである。又噴出孔のサイズ・数量・位置によって効率が変化します。集水槽上部に、砂・活性炭・布等の層を設け、濾水した環流水を循環させるものである。水すだれの、全面に露が滴たり落ちる際、水蒸気の発生により外気の温度を下げる。すだれ外面は直射日光でも内面は温度の対流によって内側すだれ下部に湿度と冷気が漂うため涼しさを得られるものである。【選択図】図２
2009228935.tif 000002
【特許請求の範囲】
【請求項１】
横吊り葭すだれの上部に、噴水管が設置されていて、噴水管を覆って飛散防止カバーが固定され、横吊り葭すだれの下部には集水溝を設けてあり、集水溝で集めた水を貯める水槽が横吊り葭すだれの下部に設置され、水槽内に、ポンプ及び送水ホースを設け、送水ホースの先端が噴水管に接続されていることを特徴とする清涼すだれ。
【請求項２】
飛散防止カバーに水量調節ボルトを設け水量を安定することを特徴とする請求項１記載の清涼すだれ。
【請求項３】
水槽給水口と高圧ホースで水道蛇口に連結した水槽内に自動給水器を設け貯水を保つことを特徴とする請求項１または請求項２に記載の清涼すだれ。
【発明の詳細な説明】
【技術分野】
【０００１】
この発明は、横並びの葭すだれに、上部から水を流し冷気を得るものである。
【背景技術】
【０００２】
従来の技術では、立簾や網等に散水・噴霧すると、大量の水を必要としていた。
吊り下げたすだれに、平均に水を滴たり流し冷気を得るものである。
【特許文献１】実公昭４３−１２２６７号公報
【特許文献２】実開昭６０−４３９２０号公報
【特許文献３】特開２００３−１３９４５２号公報
【特許文献４】特開２００３−３１０４２３号公報
【発明の開示】
【発明が解決しようとする課題】
【０００３】
涼を得る為庭や樹木に、散水しても数分で蒸発し持続した清涼効果が得られない。
そこで効果を持続させる為にすだれに水を循環して流せば、冷気を得ることが出来る、以上のようなものを作りました。
【課題を解決するための手段】
【０００４】
本発明は、横吊り葭すだれの上部に、噴水管が設置されていて、噴水管を覆って飛散防止カバーが固定され、横吊り葭すだれの下部には集水溝を設けてあり、集水溝で集めた水を貯める水槽が横吊り葭すだれの下部に設置され、水槽内に、ポンプ及び送水ホースを設け、送水ホースの先端が噴水管に接続されていることを特徴とする清涼すだれである。
【発明の効果】
【０００５】
本発明の清涼すだれは、すだれに使用している葭が保水性・防腐に優れ、また、横吊りすることにより、水流を緩やかにし、一段の効果を増し外気の熱を下げる働きがあります。さらに、噴水管を覆って飛散防止カバーを設けたことで、水流をすだれの全面に満遍なく広げて流す事が出来て効果的である。
【０００６】
放射線で気体が非常な高温に熱せられた時などにプラスイオンが発生します。そして人体の恒常性を狂わせることになる。直射日光がすだれの水蒸気・冷気に触れると些少のマイナスイオンが発生します。また、紫外線・粉塵等が減少し環境に寄与します。使用中のすだれに漂う冷気は夏の夕立直後の爽やかさを感じます。室内クーラとは異なりヒートアイランド・二酸化炭素にはつながらず、省エネにも貢献できます。
【発明を実施するための最良の形態】
【０００７】
噴水管２に、５ｃｍ間隔に噴出孔を設け、長さ２４０ｃｍから噴出した水が、すだれ巾２４０ｃｍに広散緩やかに滴たり落ちる。集水溝５に流れた水は、水槽９内に送水ポンプとホースの連結によって、噴水管２に送水循環作用して冷気を得るものである。
【実施例１】
【０００８】
図２に示す清涼すだれを用いて試験を行った。
１時間当たり水使用量は１．０ｌ内で、使用量の９５％以上は水蒸気蒸発して気温を低下させるのに有効であった。
以下に試験結果を示す。
夏期３年間に於ける平均数値
日光直射気温            日影気温          すだれ面より２ｍの温度
４０度                ３６度                ３０度
３８度                ３４度                ２８度
３６度                ３２度                ２６度
井戸水利用の場合は更に３度〜４度温度が下がる。
【図面の簡単な説明】
【０００９】
【図１】本発明の冷涼すだれの平面図
【図２】本発明の冷涼すだれの構造図
【符号の説明】
【００１０】
１  すだれ
２  噴水管
３  カバー
４  洗浄口
５  集水溝
６  接合部材
７  排水口
８  給水口
９  水槽
１０  ポンプ
１１  ホース
１２  噴水孔
１３  洗浄砂  
１４  活性炭
１５  吊り金具
１６  自動給水器
１７   水量調整ボルト
【図１】
2009228935.tif 000003
【図２】
2009228935.tif 000004
(57)【要約】【課題】地震時にマンホールが浮上して、緊急車輌の通行が困難となるのを抑制する。【解決手段】マンホール１０の底板１１の径をマンホール１０の外径より大きく形成しておき、マンホール１０の外径から水平に張出した底板１１の張出し部分の上面で、水平管１２と干渉しない位置に、マンホール１０の浮上を抑制する重量を有する重錘１を載置し、地震時に地盤の土砂の流動化によってマンホール１０が浮上するのを防止し、マンホール１０が地上に突出するのを抑制する。【選択図】        図１
2009228393.tif 000002
【特許請求の範囲】
【請求項１】
マンホールの底板の径をマンホール外径より大きく形成しておき、該底板のマンホール外径から水平に張出した部分の上面に、円周方向に分割された複数の円弧輪状片から成る重錘を載置したことを特徴とするマンホール浮上抑制装置。
【請求項２】
マンホールの底板に重錘を接着して取付けることを特徴とする請求項１記載のマンホール浮上抑制装置。
【発明の詳細な説明】
【技術分野】
【０００１】
本発明は、マンホール浮上抑制装置に関し、さらに詳しくは、地震時にマンホールが浮上して地表面上に突出することを抑制する技術に係るものである。
【背景技術】
【０００２】
地震時にマンホールが浮上して地表面上に突出する問題がある。マンホールは道路の路床中に多数設けられており、これが路面上に突出すると、車輌の運行が妨げられ、地震時の災害救急活動等に著しく悪影響を生ずる。地震時にマンホールが浮上して地上に突出する原因は必ずしも明らかではないが、マンホール周囲及び下層の地盤が流動化し、空洞を有するマンホールを押上げるものと考えられる。このようなマンホールの浮上を抑制する技術として、マンホールの下方に大きなカウンタウエイトを設け、その重量をマンホールの肩部に吊ロッド等により負荷させる技術がある（例えば、特許文献１参照。）。
【０００３】
この技術は、マンホールの下方の地盤にカウンタウエイトとして大塊コンクリートを施工し、マンホールとカウンタウエイトとの総単位体積重量が１．１以上１．３以下となるようにするものである。この技術はマンホール敷設時の工事量が莫大となるという問題があった。
【特許文献１】特開２００６−１９４０３３号公報
【発明の開示】
【発明が解決しようとする課題】
【０００４】
本発明は、簡易な構造によって地震時のマンホールの浮上を抑制する技術を提供することを目的とするものである。
【課題を解決するための手段】
【０００５】
本発明は、上記課題を解決するためになされたもので、次の技術手段を講じたことを特徴とするマンホール浮上装置である。すなわち、マンホールの底板の径をマンホール外径より大きく形成しておき、該底板のマンホール外径から水平に張出した部分の上面に、円周方向に分割された複数の円弧輪状片から成る重錘を載置したことを特徴とするマンホール浮上抑制装置である。
【０００６】
マンホールの浮上を抑制する重錘の大きさ、形状、重量は、マンホールの大きさ及び埋設深さに依存し、その浮上りを抑制するに十分な重量を有するものとし、個々のマンホールに応じて定めることができる。
【０００７】
また、重錘は分割された複数の円弧輪状片とし、これらを適宜組合わせてマンホール底板のマンホール外径より張り出した部分に所要数を載置する。マンホールに接続する地中管の取付位置はマンホール毎に異なるので、重錘の配列が地中管と干渉しないように、地中管の取付位置に応じて適切に配置して取付ける。
【０００８】
重錘は、比重の大きい材料例えば鉄材や鉄塊等、又はこれらを内蔵したり、骨材とするコンクリートなどを用いることができる。
【０００９】
また、重錘は、マンホールの底板上に接着させて底板と一体化させておくことがよい。重錘はマンホール全体の浮上を抑制するように設計されるが、基本的には底板が浮上しなければマンホールが浮上することはない。
【００１０】
本発明に係る重錘は、マンホール底板上に接着して、強固に取付けて一体化させることにより、地震時のマンホール浮上防止が抑制される。
【００１１】
地震時に地下配管やマンホールに破損等が生ずることは止むを得ないことであり、後日修復工事により復旧すればよい。
【発明の効果】
【００１２】
本発明によれば、地震時にマンホールが浮上して地上に突出するのを抑制することができ、車輌等の通行を妨げ、救急活動を制約することがなくなる。
【発明を実施するための最良の形態】
【００１３】
以下図面を参照して本発明の実施の形態を説明する。図１は本発明の実施例を示すマンホールの側面図、図２はその平面図である。
【００１４】
マンホール１０の底板１１の外径をマンホール１０の外径よりも大きくし、マンホール１０の外径よりも水平に張出した底板１１の張出し部分に重錘１を載設する。重錘１は円周方向に分割された複数の円弧輪状片で、高さ方向に積重することができる。
【００１５】
マンホール１０に取付けられる地中管１２の取付位置はマンホールごとに異なるので、これと干渉しないように重錘１を配設する。
【００１６】
マンホールの規格及び地中埋設深さに応じて重錘の取付け全重量は、例えば表１に示すように定めるとよい。
【００１７】
【表１】
2009228393.tif 000003
【００１８】
図２のＡ−Ａ矢視断面図を図３に示した。重錘１はマンホールの底板１１の上面に設けたリング状の溝１３に嵌合するリング状の凸条２を有し、この凹凸条を嵌合させて載置する。この溝１３中に接着剤を塗布し、底板１１と重錘１とを接着して一体化する。
【００１９】
上下に重ねる重錘１同士も同様の凹凸嵌合構造を設け、接着によって一体化する。
【００２０】
重錘１は、マンホール１０の躯体とは密着させない。なお、マンホール１０の躯体１０と底板１１の取付構造は従来の通常のマンホールにおける構造と同様とすればよい。
【図面の簡単な説明】
【００２１】
【図１】実施例の側面図である。
【図２】図１の平面図である。
【図３】図１のＡ−Ａ矢視断面図である。
【符号の説明】
【００２２】
１    重錘
１０    マンホール
１１    底板
１２    地中管
１３    溝
【図１】
2009228393.tif 000004
【図２】
2009228393.tif 000005
【図３】
2009228393.tif 000006
(57)【要約】      （修正有）【課題】地球温暖化防止二酸化炭素削減省エネ取り組み動力ポンプ削除装置を提供する。【解決手段】給水装置に圧力排除トラップを組み込み、動力ポンプを使用しない無動力高圧容器給水装置とした。【選択図】図６
2009216368.tif 000002
【特許請求の範囲】
【請求項１】
高圧容器へ給水の為、容器内よりの逆水流方向圧力を排除する為の器具
【請求項２】
ボイラァ等の省エネ案に請求項１、抗圧トラップを使用、無動力給水装置
【発明の詳細な説明】
【技術分野】
【０００１】本発明は、動力を使用しない、抗圧トラップ使用に依る給水装置である。
【背景技術】
【０００２】従来の蒸気発生等の圧力容器への給水は、動力ポンプを使用したが、地球規模で考えなければならない二酸化炭素廃出削減の省エネへの取組みとして無動力にした。【０００３】円筒内を抗圧加工のパイプを熔接した円板で数段に仕切り各単室化する。【０００４】先細加工抗圧パイプ熔接の円板仕切りで単室化、円筒面積とパイプ先細開口比率を抗圧に利用する。【０００５】抗圧セクションを重ね単体状にして使用に便利にした。
【発明の開示】
【発明が解決しようとする課題】
【０００６】圧力容器への給水には、補給水を送水の動力ポンプを使用したが、本装置は無動力とするために抗圧トラップを発明した。
【発明の効果】
【０００７】抗圧トラップの発明で省エネ、二酸化炭素削減に効果ある。
【図面の簡単な説明】
【０００８】
【図１】トラップ姿図
【図２】トラップ透視図
【図３】隔板熔接抗圧パイプ詳細図
【図４】抗圧端部加工パイプ
【図５】従来給水装置配置図
【図６】改良給水装置配置
【符号の説明】
【０００９】（１）圧力ボイラァ
（２）動力ポンプ
（３）環流水タンク
（４）フロゥトバルブ水槽
（５）圧力排除トラップ
（６）トラップ連結函
（７）配管パイプ
【図１】
2009216368.tif 000003
【図２】
2009216368.tif 000004
【図３】
2009216368.tif 000005
【図４】
2009216368.tif 000006
【図５】
2009216368.tif 000007
【図６】
2009216368.tif 000008
(57)【要約】      （修正有）【課題】１００Ｖコンセントの無い場所でも簡単に設置ができ、安価で場所を選ばず、簡単に獣や不審者を追い払うことが出来る爆音装置を提供する。【解決手段】水及び湿気を外部から完全に遮断したクラッカー（火薬玉）を、固い地面の上にまいておけば、獣や不審者が踏みつけることにより爆発し、威嚇効果を発揮する。また、柔らかい地面においては、蝶番付き金属板２枚の間に、クラッカー（火薬玉）を挟んで設置することで、板の上の体重がかかり爆発し、同様に威嚇効果を発揮できる。さらにクラッカー（火薬玉）を墓地のお供え物の中に埋め込んでおけば、獣が噛みつぶしたとき爆発することで十分な威嚇効果が得られる。【選択図】図２
2009216371.tif 000002
【特許請求の範囲】
【請求項１】
「水および湿気を外部から完全に遮断するクラッカー（火薬玉）」であって、「クラッカー（火薬玉）」の表面をパラフィン（ろう）類で被覆した、「防水性・防湿性に優れたクラッカー（火薬玉）」。
【請求項２】
パラフィン（ろう）類で被覆した、「防水性・防湿性に優れたクラッカー（火薬玉）」の周りに、「チョコレート類または団子類の食品で覆ったクラッカー（火薬玉）」。
【請求項３】
パラフィン（ろう）類で被覆した、「防水性・防湿性に優れたクラッカー（火薬玉）」を、「蝶番を取り付けた２枚の金属板」に挟み込み、爆発させる爆音装置。
【発明の詳細な説明】
【発明の詳細な説明】
【技術分野】
【０００１】  本発明は、サル・シカ・イノシシ・クマ等の獣害、または泥棒・空き巣被害に効果を発揮する、手軽で効率の良い「クラッカー（火薬玉）」および「爆音装置」に関する。
【背景技術】
【０００２】  田畑の米・野菜・果実等が、サル・イノシシ・シカ・クマ等により食い荒らされており、これらの侵入を防ぐ為に、金網・ネット等を田畑周辺に張っていたが、これを飛び越えたり、噛み切ったり、引き裂いたりして侵入した。また、電気牧柵や、ＬＰＧ爆音器等の脅しを用いても時限式であったため効果があがらなかった。【０００３】  墓地のお供え物の団子や菓子を、サル・カラス等により食い荒らされていた。【０００４】  泥棒・空き巣・不審者が住宅の敷地に侵入した場合、照明または音で知らせる防犯器具は、１００Ｖコンセントの周辺しか使用出来ず、十分なセキュリティ効果が上がらない反面、取り付け費用が高額であった。
【発明が解決しようとする課題】
【０００５】  ところが、上記従来の手段においては、田畑にサル・イノシシ・シカ・クマ等の侵入を防ごうと、あらゆる手段を講じても侵入され、被害にあった。
【０００６】  墓地の周辺は、田畑のような金網・ネット・電気牧柵・爆音器等を設置出来ない環境であり、そのような物を設置したとしても、サル・カラス等には、まったく効果が期待出来なかった。
【０００７】  泥棒・空き巣・不審者が住宅の敷地に侵入した場合、従来は家の中まで侵入されたケースが多く、被害が多発した。
【０００８】  このように従来の田畑および住宅の敷地において、被害に合わない防止策として講じる費用は莫大なものになり、その反面効果が低く、いずれの面でも多くの問題点があった。
このような背景のもとで、今までの獣害対策および防犯対策の概念をまったく異にした物を開発したのである。
この、本発明品である「パラフィン（ろう）類で被覆したクラッカー（火薬玉）」を、本発明品である「蝶番付き２枚の金属板」の間に挟み込んで、田畑の地面や住宅敷地の地面に設置する。あるいは「パラフィン（ろう）類で被覆したクラッカー（火薬玉）」を単体で、野菜・果実・団子・菓子等の中に埋め込んでおいても、「クラッカー（火薬玉）」は乾燥した状態のままであるため、効果はまったく落ちず、外部からの衝撃があれば、常に爆発し、大爆音を発生する。
【課題を解決するための手段】
【０００９】  しかして、本発明は、このような技術背景のもとで鋭意研究を進めた結果、従来の金網・ネット・電気牧柵・不審者侵入セキュリティ等を使用する事無く、逆転発想的な方法で本発明をさせるに至った。
【００１０】  すなわち、本発明は（１）、「パラフィン（ろう）類で被覆したクラッカー（火薬玉）」を単品のままアスファルト地面や、コンクリート地面にまいておけば、これを踏みつけることにより大爆音とともに爆発し威嚇効果が発生する。
【００１１】  そして、（２）、本発明品である「蝶番付き金属板２枚」の間に本発明品の「パラフィン（ろう）類で被覆したクラッカー（火薬玉）」を挟んで設置すれば、土や砂のような柔らかい地面の上でも、これを踏みつけることにより大爆音とともに爆発する。これは、金属等の板の上に体重をかける事によって２枚の金属板に挟まれた「クラッカー（火薬玉）」が爆発することから、獣にも人間にも同じ効果が得られる。
そしてまた、（３）、墓地でのお供え物の団子や菓子、田畑の野菜・果実の中に本発明品である「クラッカー（火薬玉）」をあらかじめ埋め込んでおけば、これを食べたサル・イノシシ・シカ・クマ等の上下の歯によって噛み潰された本発明品が、大爆音とともに爆発し、十分な威嚇効果が得られる。また、カラスのようなクチバシで突付いても同様に、本発明品が大爆音とともに爆発し、十分な威嚇効果が得られる。直径約１ｃｍの「クラッカー（火薬玉）」であるため殺傷威力は無く、威嚇効果のみ発揮する。
【発明を実施するための最良の形態】
【００１２】  以下、本発明に係る実施の形態を、図面にもとづき、その作用と併せて詳細に説明する。【００１３】  〔第１の実施の形態〕
図１は、第１の実施の形態で、「２枚の金属板等用具」の全体を示した図である。図２は「防水・防湿処理されたクラッカー（火薬玉）」と、「２枚の金属板等用具」を組み合わせた側面を示した図である。
図２に示すように、この実施の形態において２枚の金属板の間に、「防水・防湿処理されたクラッカー（火薬玉）」を装着する。
【図面の簡単な説明】
【図１】  図１は、第１の実施の形態における「２枚の金属板」の全体像を示す。
【図２】  図２は、「２枚の金属板」の間に、「防水・防湿処理されたクラッカー（火薬玉）」を装着させた側面図を示す。
【符号の説明】
Ａ・・・２枚の金属板
Ｂ・・・防水・防湿処理された、クラッカー（火薬玉）
【図１】
2009216371.tif 000003
【図２】
2009216371.tif 000004
(57)【要約】【課題】エネルギーの有効利用と省エネルギー化を実現する。【解決手段】本考案は重力で流速が加速される水道水で羽根を回転させ、その回転を発電機に伝達し発電し、発電された電力を様々な用途へ利用出来る様にするものであるが、重力以外のエネルギーを利用しないで発電出来る事から省エネルギー化に貢献するものである。【選択図】図１
2009216072.tif 000002
【特許請求の範囲】
【請求項１】
水道水で歯車を回し、その回転を発電機に伝え発電する発電装置
【請求項２】
請求項１の発電装置を内蔵した水栓
【請求項３】
水道水の蛇口に取り付けられるようにした請求項１の発電装置
【発明の詳細な説明】
【技術分野】
【０００１】本発明は水道水を利用して発電する発電装置、および、その発電装置を内蔵した水栓、および、その発電装置を水道の蛇口に取り付けられるようにしたものに関する。
【背景技術】
【０００２】特に見当たらない。
【発明の開示】
【発明が解決しようとする課題】台所などで頻繁に使用する水道水を利用して発電し、発電した電源を充電器の充電などに利用する事で省エネルギー化が図れる。
【課題を解決するための手段】
【０００３】水道水で歯車を回し、その回転を発電機に伝え発電する発電装置【０００４】０００３の発電装置を内蔵した水栓【０００５】水道水の蛇口に取り付けられるようにした発電装置
【発明の効果】水道水は重力を利用して水を移動、排出している場合が多く、この重力で移動する水で羽根を回転させ、その回転力で発電するもので、発電の為に他のエネルギーを必要としない為、省エネルギー化に寄与できる。
【発明を実施するための最良の形態】
【０００６】水道水の流路上に設けた羽根を水の力で回転させ、その回転を発電機に伝え、発電機の回転部分を回転させ発電させる。
発電された電源は外に取り出され、たとえば、充電器などに利用される。
水道水の量の違いにより羽根の回転数が変り、出力される電圧が変化するが、たとえば、上記充電器の内部にＤＣ−ＤＣコンバーターを内蔵し、そのＤＣ−ＤＣコンバーターを介することで一定の電圧が得られる。
【実施例１】
【０００７】図１は基本的な原理を示したものである。
水道水の流路上に羽根２が設けられ、羽根２に水道水１が衝突し、その力で羽根２が回転する。【０００８】羽根２の回転軸上に歯車Ａ３が設けられ、歯車Ｂ４に回転が伝達される。【０００９】歯車Ｂ４は発電機の回転軸上に設けられ、発電機５が回転し、発電を行う。【００１０】発電された直流電源は、＋電源出力線６、および、−電源出力線７から外部に取り出される。【００１１】歯車Ａ３、歯車Ｂ４、発電機５、＋電源出力線６、−電源出力線７と水道水の流路上に設けられた羽根２との間には仕切りが設けられ、かつ、羽根２の回転軸上に防水用Ｏリング８を設けることで、発電機側への水の進入を防止し、回転のみが伝達される構造である。
【実施例２】
【０００１２】図２は、実施例１で説明した発電装置を内蔵し、水栓と一体化したものを示したものである。発電装置部１１の内部は、実施例１で説明した構造である。
＋電源出力線１４と−電源出力線１５から電源が外部に出力される。
【実施例３】
【０００１３】図３は、水栓の蛇口の部分に嵌め込む構造の発電装置を示したものである。
発電装置本体２０の内部は、実施例１で説明した構造である。
＋電源出力線２１と−電源出力線２２から電源が外部に出力される。
【産業上の利用可能性】
【０００１４】マンションなどの集合住宅の共有部分の水道管路に同様の構造の発電装置を設置すれば、より大きな電力の発電が可能となる。【０００１５】デジタルカメラや携帯電話などに使用される充電器は、一般的には交流入力が多いが、本考案の発電装置を直流電源として利用することで、直流入力型の充電器の普及と省エネルギーに貢献できる。
【図面の簡単な説明】
【０００１６】
【図１】水道水で発電する基本的な原理を示した説明図である。（実施例１）
【図２】実施例１で説明した発電装置を内蔵し、水栓と一体化した実施方法を示した説明図である。（実施例２）
【図３】水栓の蛇口の部分に嵌め込む構造の発電装置の実施方法を示した説明図である。（実施例３）
【符号の説明】
【０００１７】１    水道水
２    羽根
３    歯車Ａ
４    歯車Ｂ
５    発電機
６    ＋電源出力線
７    −電源出力線
８    防水用Ｏリング
９    水栓本体
１０  水栓開閉レバー
１１  発電装置部
１２  蛇口
１３  水道水
１４  ＋電源出力線
１５  −電源出力線
１６  水栓本体
１７  水栓開閉レバー
１８  蛇口
１９  発電装置本体
２０  水道水
２１  ＋電源出力線
２２  −電源出力線
【図１】
2009216072.tif 000003
【図２】
2009216072.tif 000004
【図３】
2009216072.tif 000005
(57)【要約】【課題】      無限に存在する、波のエネルギーを電気エネルギーに変換するための、設備、装置が簡略で、効果が的確な波力発電装置が要望される。【解決手段】      楕円形で、平板状の船体の上部に、回転振り子を設置し、波のエネルギーによって船体を揺道、回転振り子を振幅せしめ、回転振り子に生成した運動エネルギーによって発電機を駆動、発電する波力発電装置を提供する。【選択図】図１
2009216076.tif 000002
【特許請求の範囲】
【請求項１】
海面の上下運動によって、揺動し易い形状、楕円形、平板状の船体（１）と、その上部に、回転振り子（２）を、回転軸を支点として、振幅が容易なように、支持枠（３）によって任意の高さに設置する。波のエネルギーによって船体を揺動、回転振り子を振幅せしめ、船体と、回転振り子の重力、慣性とによって、振り子の回転軸に運動エネルギーを生成させる。このエネルギーを動力伝達機構によって、発電機に伝達、発電機を駆動、発電効果を計ったことを特徴とする、回転振り子を用いた波力発電装置。
【発明の詳細な説明】
【技術分野】
【０００１】  波の自然エネルギーを、電気エネルギーに変換する波力発電に関する。
【背景技術】
【０００２】  波の運動が、不規則、不測で、電気エネルギーに変換することが容易でなく、実用化が進んでいない。
【発明の開示】
【発明が解決しようとする課題】
【０００３】  波力発電装置は、設置、装置が簡略で、発電効果が的確、保守、耐久性に優れ、実施が容易な装置が要望される。
【課題を解決するための手段】
【０００４】  楕円形で、平板状の船体の上部に、回転振り子を任意の高さに設置し、波のエネルギーによって船体を揺動、回転振り子を振幅せしめ、回転振り子に生成したエネルギーによって発電機を駆動、発電効果を得る波力発電装置を提供する。
【発明の効果】
【０００５】  波の、海水を上下するエネルギーは巨大なもので、時に、何千トンの船舶をも揺動する強力な作動力を保有する。
本発明では、揺動し易い形状の船体に、波の強力なエネルギーを作用させることにより、、比較的重力の大きい回転振り子の、振幅を容易とし、発電機に有効な回転エネルギーの供給を可能とした
本装置は、海上の任意の位置に浮遊設置が出来るので。設定設備の必要性がない。
【発明を実施するための最良の手段】
【０００６】  波の不規則で、複雑な、海面の上下運動に対応して、揺動し易い、楕円形で、平板状の船体を海面上に浮遊設置することによって、波のエネルギーに対応して船体の搖動を容易とした。
回転振り子は、必ずしも、回転軸に直角な外力によって作動するのみでなく、かなり広い角度よりの外力によっても作動する特性があり、又、回転振り子の半径を長くし、重錘の質量を大とすることによって、回転振り子の回転軸に、有効な回転エネルギーの生成を可能とした。
【実施例】
【０００７】
【実施例１】  古来から、物の揺れ動く様を「河面に木の葉を浮かべた如し」と云われている。  海水の上下運動によって、揺動し易いような「木の葉」に似て、楕円形で、平板状の船体（１）の上部に、回転振り子（２）を、回転軸を支点として、振幅に適した高さに、支持枠（３）によって設置する。
回転振り子の回転軸には、回転方向を一方向に決定して動力を伝達ためのラチエット歯車（４）、回転振り子の断続運動を緩衝するための、スプリング、流体継手等を用いた緩衝継手（５）、回転速度を増幅する変速ギア（６）、調速用フライホイ−ル（７）、発電機（８）へ、それぞれ車軸により接続する。
以上のように構成した装置を、海面上に浮遊設置し、波の上下運動によって船体を揺動、回転振り子を振幅〔振動〕せしめ、回転振り子に発生した回転エネルギーを動力伝達装置によって、発電機を作動、発電効果を達成する。
【実施例２】    実施例１と同じ船体と、回転振り子装置の、回転振り子回転軸の先端に作動アーム（１１）を接着する。作動アーム左右の両端にはリンクロッド（１２）を連結する。リンクロッドの他端は、左右に設置した油圧ポンプ（１３）にそれぞれ連結する。
回転振り子の振幅により作動アームが作動、リンクロッドを介して油圧ポンプを駆動する。油圧ポンプによって発生した油圧は、送油パイプ、油圧タンク（１４）を経て油圧タービン（１５）に達し、油圧タービンに接続する発電機を作動せしめる。
以上、実施例に示すように構造が比較的簡略で実施が容易と考えられる。
要すれば、以上の装置は複数基、若しくは任意の数基、同一船体に設置が可能で、、其れにより、大電力の供給が期待される。
本装置は、電力収集母船に、繋留索によって繋留するか、防波堤等に基地を設けて繋留使用する。
発電機よりの電力は、繋留索に併設した電線により、母船又は基地に送電される。
要すれば、船体に転覆防止装置を付設する。
【図面の簡単な説明】
【０００８】
【図１】実施例１の斜視図
【図２】実施例２の斜視図
【符号の説明】
【０００９】１          船体
２          回転振り子
３          支持枠
４          ラチエット歯車
５          緩衝継手
６          変速ギヤ
７          フライホイール
８          発電機
１１        作動アーム
１２        リンクロッド
１３        油圧ポンプ
１４        油圧タンク
１５        油圧タービン
【図１】
2009216076.tif 000003
【図２】
2009216076.tif 000004
(57)【要約】【課題】潤滑剤冷却式のコンプレッサにおいて、使用者側の電力トラブルによってモータが所定の回転数以下になった場合でも、潤滑剤の逆流が生じないコンプレッサの潤滑剤逆流防止機構を提供する。【解決手段】モータ３には制御部１が連結され、この制御部１はモータ３の回転数が所定回転数以下に低下した場合に電磁弁２を閉止し、コンプレッサ本体４への潤滑剤の供給を停止する。【選択図】図１
2009216048.tif 000002
【特許請求の範囲】
【請求項１】
モータ駆動され、潤滑剤で冷却されるコンプレッサ本体及び圧縮空気を使用側に供給するための系路を有するコンプレッサにおける前記潤滑剤の逆流を防止するための機構であって、該機構は、前記モータの回転がある回転数以下になった場合に、前記コンプレッサ本体へ前記潤滑剤を供給すべく前記系路内に配置される電磁弁を閉止する制御部を設けることを特徴とするコンプレッサの潤滑剤逆流防止機構。
【発明の詳細な説明】
【技術分野】
【０００１】
本発明は、モータ駆動されるコンプレッサの系路内に配置され、モータ回転数がある回転数以下になった場合に、コンプレッサ本体側への潤滑剤の逆流を防止するためのコンプレッサの潤滑剤逆流防止機構に関する。
【背景技術】
【０００２】
潤滑剤冷却式のコンプレッサとしては、モータで駆動されるコンプレッサ本体と、該コンプレッサ本体からの圧縮空気の水や油を分離して圧縮空気を使用者側に送ると共に、分離された潤滑剤を処理する系路が設けられている。
また、一般に前記モータにはインバータが付設され、使用者側の圧縮空気の使用量に応じて前記モータの回転数を制御するようにしている。また、分離された潤滑剤はクーラやフィルタにより処理された後に、再びコンプレッサ本体に供給される系路が形成されている。
前記のインバータによるコンプレッサのコントロールに関する公知技術としては、例えば、「特許文献１」が挙げられる。
【特許文献１】特開２００７−１２０３１４（図１）
【発明の開示】
【発明が解決しようとする課題】
【０００３】
「特許文献１」の「特開２００７−１２０３１４」の「インバータを用いた水循環式コンプレッサの省電力化方法」は、使用者側の空気使用量が低減した場合に、インバータによりモータの回転数を下げると共に電磁弁の開閉と絞り弁の絞り量をコントロールして省電力化を図るものであり、この形式のものは水循環式に限らず潤滑剤冷却式のコンプレッサにおいても広く採用されている。
【０００４】
使用者側においては、前記のように空気使用量が変動することは通常発生するものであるが、使用者側の何等かの電力事情のトラブル等によりモータへの電力が変化する（低下する）場合が生ずる。モータへの電力が低下すると当然ながらモータの駆動力が低下する。一方、コンプレッサ本体としては、特別な異常がない場合はモータの回転が低下したとしてもある時間はそのままの状態で駆動を続ける。そのため、モータの駆動力がコンプレッサ本体側の駆動力に負けてモータが逆転する現象が生ずる。
前記のようにコンプレッサ本体には潤滑剤が供給されているが、前記の逆転によりこの潤滑剤が吸気容量調整弁やエアクリーナ側に逆送され、これ等の機器の機能を低下させる問題点が生ずる。
【０００５】
本発明は、以上の問題点を解決すべく発明されたものであり、モータがある回転数以下になった場合に、モータに供給される潤滑剤を遮断して前記の逆送を防止するようにしたコンプレッサの潤滑剤逆流防止機構を提供することを目的とする。
【課題を解決するための手段】
【０００６】
本発明は、以上の目的を達成するために、請求項１の発明は、モータ駆動され、水又は油等の潤滑剤で冷却されるコンプレッサ本体及び圧縮空気を使用側に供給するための系路を有するコンプレッサにおける前記潤滑剤の逆流を防止するための機構であって、該機構は、前記モータの回転がある回転数以下になった場合に、前記コンプレッサ本体へ前記潤滑剤を供給すべく前記系路内に配置される電磁弁を閉止する制御部を設けることを特徴とする。
【発明の効果】
【０００７】
本発明の請求項１のコンプレッサの潤滑剤逆流防止機構によれば、使用者側のトラブルによってモータの回転数が、例えば、ある回転数以下になった場合に、電磁弁を閉止してコンプレッサ本体への潤滑剤の供給を停止する制御部を設けるため、前記の逆送を完全に防止することができる。
【発明を実施するための最良の形態】
【０００８】
以下、本発明のコンプレッサの潤滑剤逆流防止機構の実施の形態を図面を参照して詳述する。
図１は、本発明のコンプレッサの潤滑剤逆流防止機構を含むコンプレッサの全体概要を示す構成図である。
図１において、コンプレッサ本体４はモータ３により駆動され、このモータ３にはインバータ５が付設されている。エアクリーナ６からの外気は吸気容量調整弁７を介してコンプレッサ本体４に吸気される。
コンプレッサ本体４により圧縮された潤滑剤を含む圧縮空気は、レシーバタンク８に送られ、水又は油が分離される。圧縮空気は、レシーバタンク８から管路９によりセパレータ１０やアフタクーラ１２及びドライヤ１３等を介して使用者側１４に送られて使用される。
【０００９】
一方、レシーバタンク８内の潤滑剤は、管路１５によりクーラ１１に送られフィルタ１６及び電磁弁２を介してコンプレッサ本体４に供給される。
【００１０】
モータ３には本発明の主構成要素である制御部１（シーケンサ）が連結される。この制御部１は一点鎖線で示すように、前記電磁弁２に連結されて電磁弁２の開閉を行う。
【００１１】
前記のように使用者側１４における使用空気量により、モータ３はインバータ５によりその回転数がコントロールされる。
一方、使用者側１４において何等かの電力トラブルによりモータ３への供給電力が低下するとモータ３の回転が低下する。この状態のままでは、前記のようにモータ３の駆動力がコンプレッサ本体４の駆動力に負けて逆転する恐れがある。そこで、モータ３の回転数を制御部１によって検知し、モータの回転数が例えば５００ｒｐｍ以下になった場合には制御部１より電磁弁２への指令が発せられ、電磁弁２が閉止されると同時にモータ３も停止する。そのため、電磁弁２を介してコンプレッサ本体４に供給される潤滑剤が停止し、前記のようなエアクリーナ６等の側への逆流が生じない。
勿論、使用者側１４の電力状況が回復した場合には、再度起動しモータ３の回転数が上り、電磁弁２の閉止は解除され、コンプレッサ本体４に対する通常の潤滑剤供給が行われる。
【００１２】
本発明は、以上の説明によるものであるが、本発明は以上の内容に限定するものでなく、同一技術的範疇のものが適用されることは勿論である。
【産業上の利用可能性】
【００１３】
本発明は、すべての形式の潤滑剤供給式のコンプレッサに適用することができ、その利用範囲は広い。
【図面の簡単な説明】
【００１４】
【図１】本発明に係る潤滑剤逆流防止機構を含むコンプレッサの全体概要を示す構成図。
【符号の説明】
【００１５】
１    制御部
２    電磁弁
３    モータ
４    コンプレッサ本体
５    インバータ
６    エアクリーナ
７    吸気容量調整弁
８    レシーバタンク
９    管路
１０  セパレータ
１１  クーラ
１２  アフタクーラ
１３  ドライヤ
１４  使用者側
１５  管路
１６  フィルタ
【図１】
2009216048.tif 000003
(57)【要約】【課題】この発明は、５００ｇ以下の少ないパン生地でも、器具を使って、楽にこねることが出来る。【解決手段】円柱物に斜め状の溝と軸を付けたハンディー、パン生地こね機である。【選択図】図１
2009207505.tif 000002
【特許請求の範囲】
【請求項１】
円柱物に斜め状の溝とセンターに軸を付けた器具である。それを電動ドリル又はドラバーに取り付けて回転させパン生地を前方に回転させながら押し出す、ハンディーパン生地こね機。
【発明の詳細な説明】
【技術分野】
【０００１】  この発明は、円柱物に斜め状の溝と軸を付けた、パン生地こね機に関するものである。
【背景技術】
【０００２】  業務用、家庭用の自動パン生地こね機はあった。
【発明の開示】
【発明が解決しようとする課題】
【０００３】  これは次のような欠点があった。
５００ｇ以下のパン生地をこねることは出来なく、少ない生地の場合は手でこねていた。
手でこねる場合は両手を使い、力強くこねたり、こね台に叩き付けたりしないと良いパン生地が出来ない、そのため手やこね台に生地が付き汚れた、又、力も必要で疲れる。
【課題を解決するための手段】
【０００４】  円柱物に斜め状の溝とセンターに軸を付けた器具を、電動ドリル又はドライバーに取り付けて回転させる。生地は溝を通って前方に回転しながら押し出され、手でこねた状態と同じ様にする事が出来た。
【発明の効果】
【０００５】（イ）  発明は以上の形状により、５００ｇ以下の少ない生地でも、溝を通って前方に回転させながら押し出す事が出来、手でこねたのと同じ状態になる。そのため、こね台は使わなくても良いし、手に生地も付かなく、力も必要なく楽に生地がこねられた。
（ロ）  手打ちうどんも作ってみたが足で踏まなくても腰の強いうどんが出来た。
【発明を実施するための最良の形態】
【０００６】  以下、本発明の実施の形態について説明する。
（イ）  円柱物（１）に斜め状の溝（２）をつける。
（ロ）  円柱物（１）の中央に軸（３）を付ける。
本発明は以上の構成からなる、パン生地こね機である。以下、使用法について説明する。
ボールに生地の材料を入れ、そこに、ぬるま湯を入れスプーンで軽くがき混ぜ、本発明器具を電動ドリル又はドライバーに取り付け、回転させる。それを生地に押し付ける。すると、生地は溝を通って前方に回転しながら押し出される。５分位で終了となる。それから樹脂製のヘラで周りの生地を中央に集めボールにラップをして一発酵工程に入る。
【図面の簡単な説明】
【０００７】
【図１】本発明の斜視図
【図１】本発明の原理説明図
【図１】本発明の使用説明図
【符号の説明】
【０００８】１は円柱物
２は斜め状の溝
３は軸
４は電動ドリル、又はドライバー
５はボール
６は生地
【図１】
2009207505.tif 000003
【図２】
2009207505.tif 000004
【図３】
2009207505.tif 000005
【手続補正書】
【提出日】平成19年8月15日(2007.8.15)
【手続補正１】
【補正対象書類名】明細書
【補正対象項目名】０００７
【補正方法】変更
【補正の内容】
【０００７】
【図１】本発明の斜視図
【図２】本発明の原理説明図
【図３】本発明の使用説明図
(57)【要約】      （修正有）【課題】配電盤のブレイカーとコンセントの間に取付ける省電力化スイッチ装置を提供する。【解決手段】屋内配電盤２のブレイカ−３とコンセント５の間に、電気コ−ド４の電線二芯６を、同時に入り切りすることの出来るスイッチ７を取り付けて、コンセント５を使用しているときは、スイッチ７を入れ、コンセント５を使用していないときは、スイッチ７を切る操作をして、省電力化を行なう。【選択図】図１
2009207342.tif 000002
【特許請求の範囲】
【請求項１】
省エネルギ−にかかわるもので、外部より、電線を引き入れた屋内配線用の配電盤のブレイカ−と、コンセントをつなぐために、配線された電気コ−ドの電線二芯に、同時に入り切りするスイッチを取りつけて、電気の通電を、通過、停止させる事を目的とした、省電力化スイッチ装置。
【請求項２】
コンセントにつながる電気コ−ドの電線二芯をマグネットスイッチ、又は、リレ−、又は、すべてのそのようなスイッチ，コネクタ−に取りつけて、感知センサ−又は、手動スイッチを、入り切りする事により、電気コ−ドの電線二芯への通電を操作する請求項１の省電力化スイッチ装置。
【請求項３】
家電製品の差し込みを、コンセントに差し込むことにより、コンセントに家電製品が、つながっているか、いないかを、別の回路線により、信号を送り、感知して、そのコンセントまでの、電気の通電を、マグネットスイッチ、又は、リレ−、又は、そのようなすべてのスイッチ，コネクタ−を、入り切りする事により、操作する請求項１、２の省電力化スイッチ装置。
【発明の詳細な説明】
【技術分野】
【０００１】  本発明は、屋内電気配線の省電力化に係るものである。従来の屋内電気配線は、電力会社より、送電された電気を、屋内に引き入れ、屋内配電盤から、各部屋のコンセントまで電気コ−ドで配線し、電気を供給しているので、コンセントまで、電気は、通電していて、コンセントに、電気器具を、使うために、コンセントに、コ−ドを、差し込む、差し込まないを問わず、電気は、コンセントまで、通電しているので、その電気コ−ドの部分で、常に、電気を消費しているから、その配電盤のブレイカ−とコンセントの間に、電気コ−ドの電線二芯を、同時に入り切りする事のできるスイッチを取り付けて、コンセントを使用しているときは、スイッチを入れ、コンセントを使用していないときは、スイッチを切る操作をして、省電力をする装置に係るものである。
【背景技術】
【０００２】  従来より、屋内配線の配電盤のブレイカ−からコンセントまでの、コ−ドの使用電気の省電力をする装置は、なかった。
【発明の開示】
【発明が解決しようとする課題】
【０００３】  本発明は、現在の屋内配線の、配電盤のブレイカ−とコンセントの間には、電気コ−ドを通して、電気が流れているので、電気コ−ドが電気を、消費しているという問題を、解決する為になされたものである。
【課題を解決するための手段】
【０００４】  本発明は、上記の目的を達成するために，下記の，省電力化スイッチ装置を提供するものである。【０００５】  （１）省エネルギ−にかかわるもので，外部より，電線を引き入れた屋内配線用の配電盤のブレイカ−と，屋内用コンセントをつなぐために，配線された電気コ−ドの電線二芯を，同時に入り切りするスイッチを取りつけて，電気の通電を，通過，停止させる事を，特徴とする。【０００６】  （２）コンセントにつながる電気コ−ドの電線二芯をマグネットスイッチ、又は，リレ−、又は，すべてのそのようなスイッチ，コネクタ−に取り付けて，感知センサ−，又は，手動スイッチを、入り切りすることにより，電気コ−ドの電線二芯への通電を操作することを，特徴とする。【０００７】  （３）家電製品の差し込みを，コンセントに差し込むことにより，コンセントに家電製品が，つながっているか，いないかを，別の回路線により信号を送り，それを感知して，そのコンセントまでの，電気の通電を，マグネットスイッチ，又は、リレ−、又は、そのようなすべてのスイッチ、コネクタ−を、入り切りすることにより，操作する事を特徴とする。
【発明の効果】
【０００８】  上述したように，本発明は，屋内配電盤のブレイカ−からコンセントへの電気コ−ドの通電を，不必要な時は、スイッチを切り，必要な時は、スイッチをいれる事による省電力化スイッチ装置により，省電力化をすることが出来る。
【発明を実施するための最良の形態】
【０００９】  屋内配線の配電盤のブレイカ−とコンセントの間の、電気コ−ドに，電線二芯を、同時に、入り切りできるスイッチを、ブレイカ−に近い位置で、操作できるように、取り付ける。
【実施例】
【００１０】  次に、本発明の、実施例を、添付図面にて、説明する。【００１１】  図１は、外部より、電線１をひきいれた屋内配線用の配電盤２と、コンセント５をつなぐために、配線された電気コ−ド４の電線二芯６に、同時に入り切りするスイッチ７を取りつけて、電気の通電を、通過、停止させるのである。【００１２】  図２は、コンセント５につながる電気コ−ド４の電線二芯６を、マグネットスイッチ８、又は、リレ−９、又は、すべてのそのようなスイッチ、コネクタ−１０に取り付けて、感知センサ−１５又は、手動スイッチ１１を、入り切りする事により、電気コ−ドの電線二芯６への通電を、操作する事ができる。【００１３】  図３は、家電製品１４の差し込み１３を、コンセント５に差し込むことにより、コンセント５に家電製品１４がつながっているかいないかを、別の回路線１２により信号を送り、それを感知して、そのコンセントまでの電気の通電をマグネットスイッチ８、又は、リレ−９、又は、そのようなすべてのスイッチ、コネクタ−１０を、入り切りする事により、操作する事ができる。
【産業上の利用可能性】
【００１４】  建物を、新たに建設する時、又、改築、又、増築するにあたり、屋内配線をするので、この省電力化スイッチ装置を、施工する事ができる。
【図面の簡単な説明】
【００１５】
【図１】  ［請求項１］の、電気コ−ドの電線二芯を、同時に入り切りするスイッチを取り付けた屋内配線の展開図
【図２】  ［請求項２］の、感知センサ−又は、手動スイッチを、取りつけた屋内配線の展開図
【図３】  ［請求項３］の、信号を送る伏線が、付いた屋内配線の展開図
【符号の説明】
【００１５】１、  電線
２、  屋内配電盤
３、  ブレイカ−
４、  電気コ−ド
５、  コンセント
６、  コ−ド内電線二芯
７、  同時２本入り切りスイッチ
８、  マグネットスイッチ
９、  リレ−
１０、すべてのスイッチ、コネクタ−
１１、手動スイッチ
１２、回路線
１３、差し込み
１４、電気器具
１５、感知センサ−
【図１】
2009207342.tif 000003
【図２】
2009207342.tif 000004
【図３】
2009207342.tif 000005
(57)【要約】【課題】  サイリスタのサポートにより渦電流を切れることなく生み続ける電気子界磁発電機のモーターを提供する。【解決手段】  湾曲界磁（５）の中に電気子（１）を設ければ磁界の変化を感じて渦電流が生まれ電気子軸左横には整流子（７）金属片（８）ブラシ（３）界磁（６）サイリスタ（４）を設けているので発電機となる  外部に蓄電池（２）を設ける電気子界磁発電機（５）。【選択図】図３
2009207341.tif 000002
【特許請求の範囲】
【請求項１】
希土類磁石を湾曲にくみ湾曲磁界の中に電気子（１）を設け、蓄電池（２）から電気を流すと相互作用で渦電流が電気を生み、電気子（１）を回転させ電気が生まれ、出来た電気を外部蓄電池（２）に蓄え、ブラシ（３）を介して発電機（５）に伝え又、供給出来る電極＋部にサイリスタ（４）を設けて自動車のエンジンとする電気子界磁交直流発電機（５）。
【請求項２】
〔請求項１〕のエンジンを利用して船のエンジン又は船内の荷役、空調、照明など電力のモーターとする電気子界磁交直流発電機（５）。
【請求項３】
〔請求項１〕のエンジンを利用して動く物のエンジンすることが出来る。
【請求項４】
〔請求項１〕のエンジンを利用して不治の災害の携帯用の照明に利用する。
【請求項５】
〔請求項１〕のエンジンを大型化して離島の発電所とする。
【請求項６】
〔請求項１〕のエンジンのモーターを利用して密閉して高水圧に耐え得る材質で深海の沈物船の捜査船内の捜索をする装置。
【請求項７】
〔請求項１〕のエンジンを密閉して高水圧に耐え得る材質でモーターを利用して海底資源の探査をさせる。
【発明の詳細な説明】
【技術分野】  本発明は、希土類磁石を交互に重ねて湾曲に組み、サイリスタを設ければ、電気子（銅板）は界磁との間で渦電流が出来て、磁界の変化で電流と磁界の間に力が働き、発電する。渦電流は電気を生み、出来た電気は仕事をこなし、余った電気は蓄電池に蓄える電機子界磁発電機の軸左端にブラシ、整流子、金属板、電極＋部にサイリスタを設けて、発電機となる飽和状態を示さない電気子界磁発電機。
【背景技術】
【０００１】  従来、サイリスタを用いての、電気子界磁発電機はなかった。
【発明の開示】
【発明が解決しようとする課題】
【０００２】
【０００３】  そのために次のような問題点があった。
（イ）ｐｎｐｎ接合構造の３番目のＰ層にゲート電力を付け、スイッチ動作を行うと、陽極と陰極間の電流−電圧特性に負性抵抗が現れる。
（ロ）ゲート電極から流れ込む電流の大きさに従って、電流−電圧特性の動作点を移動することにより、電流が流れない状態から流れる状態への切り替えが可能になり、ゲートによる主電流を切ることができる。
本発明はこれらの問題点を解決するためになされたものである。
【課題を解決するための手段】
【０００４】  渦電流は電気を生み、出来た電気は仕事をこなし、余った電気は蓄電池に蓄える電機子界磁発電機の軸左端にブラシ、整流子、金属板、電極＋部にサイリスタを設ければ、発電機となり、飽和状態を示さない電気子界磁発電機が出来る。之を利用して外部に蓄電池を設け、蓄電池から電流を流しサイリスタを通して利用すれば、車、船、動く物のエンジンとする事が出来る。
【発明の効果】
【０００５】  窒素酸化物が、地球上に多くなって、温暖化が叫ばれ地球の生態系が狂ってきている、今、窒素酸化物（石油）を規制し、電気子界磁発電機でモーターによる電気の世代である。
【発明を実施するための最良の形態】
【０００６】  以下、本発明の実施の形態について説明する。
湾曲界磁の、中心に電気子界磁発電機を設けるこの中に電気子を設け、この電気子軸両端は軸受けでしっかり止めて置き、界磁、電気子、ブラシ、整流子、金属片、電極＋側にサイリスタ＝東北大学の西澤潤一発明のサイリスタ、と外部に蓄電池を設ける。
【図面の簡単な説明】
【０００７】
【図３】  本発明の他の実施例を示す斜視図である。
【符号の説明】
【０００８】１・  電気子
２・  蓄電池
３・  ブラシ
４・  サイリスタ  （東北大学西澤潤一）発明のサイリスタ
５・  電気子界磁発電機  （高圧に耐え得る材質で深海の沈物船の捜査と船内の捜索をする装置）。
６・  界磁  湾曲に組んだ界磁
７・  整流子
８・  金属片
【図３】
2009207341.tif 000003
【手続補正書】
【提出日】平成20年5月20日(2008.5.20)
【手続補正１】
【補正対象書類名】明細書
【補正対象項目名】０００７
【補正方法】変更
【補正の内容】
【０００７】
【図１】  本発明の他の実施例を示す斜視図である。
【手続補正２】
【補正対象書類名】図面
【補正対象項目名】全図
【補正方法】変更
【補正の内容】
【図１】
2009207341.tif 000004
【手続補正３】
【補正対象書類名】特許請求の範囲
【補正対象項目名】請求項１
【補正方法】変更
【補正の内容】
【請求項１】
軟鉄の棒を湾曲型界磁にくみ不測ゼロを確認して電流を流すと電磁石となり図１の５電気子界磁発電機となり湾曲型磁界の中に電気子（１）を設け、蓄電器（２）から電流を流すと電磁石となり相互作用で渦電流が電気を生み、電機子（１）を三極にくみ、回転させ電気が生まれ、出来た電気を外部蓄電池（２）に蓄え、蓄電池からブラシ（３）を介して電流を発電機（５）に供給出来る電機子（１）のエナメル線＋部にサイリスタ（４）を設けて三極モーターをエンジンとする電機子界磁直流発電機（５）。
【手続補正４】
【補正対象書類名】特許請求の範囲
【補正対象項目名】請求項２
【補正方法】変更
【補正の内容】
【請求項２】
［請求項１］のエンジンを利用して船のエンジン又、船内の荷役、空調、照明など電力のモーターとする電機子界磁直流発電機（５）。
【手続補正５】
【補正対象書類名】特許請求の範囲
【補正対象項目名】請求項３
【補正方法】変更
【補正の内容】
【請求項３】
［請求項１］のエンジンを利用して動く物のエンジンとすることが出来る電機子界磁直流発電機（５）。
【手続補正６】
【補正対象書類名】特許請求の範囲
【補正対象項目名】請求項４
【補正方法】変更
【補正の内容】
【請求項４】
［請求項１］のエンジンを利用して不治の災害の携帯用の照明，電力に利用する事が出来る電機子界磁直流発電機（５）。
【手続補正７】
【補正対象書類名】特許請求の範囲
【補正対象項目名】請求項５
【補正方法】変更
【補正の内容】
【請求項５】
［請求項１］のエンジンを利用して大型化して離島の発電所とする事が出来る電機子界磁直流発電機（５）。
【手続補正８】
【補正対象書類名】特許請求の範囲
【補正対象項目名】請求項６
【補正方法】変更
【補正の内容】
【請求項６】
［請求項１］のエンジンを利用して密閉して高水圧に耐え得る材質にして沈没船の捜索をする電機子界磁直流発電機（５）。
【手続補正９】
【補正対象書類名】特許請求の範囲
【補正対象項目名】請求項７
【補正方法】変更
【補正の内容】
【請求項７】
［請求項１］のエンジンを利用して密閉して高水圧に耐え得る材質で海底資源の探査をさせる電機子界磁直流発電機（５）。
注、電機子発電機は始めから磁化すると駄目で、磁石になると故障の時手が付けられなくなり、エンジンを休ませるとき停止出来ないから材質は軟鉄の鉄を選ぶこと。